(57)【特許請求の範囲】
【請求項１】
建築物のアスベスト壁面からアスベストをはつり除去するアスベスト除去装置において、アスベスト除去工具をオーニングするフードの内部周囲に配置されたノズルから泡を噴出し、フードの周囲を泡でシールしたことを特徴とするアスベスト除去装置。
【請求項２】
前記フード内の泡で包み込まれたアスベスト除去片をアスベスト回収ライン上に設けられたブロアにより吸引し、フード側からブロア側への流れを形成することによりフード内を負圧としたことを特徴とする請求項１に記載のアスベスト除去装置。
【請求項３】
前記フードを二重構造としてフードに内側及び外側の壁面を設け、前記負圧により外側壁面のすき間から内側壁面方向への流れを形成するようにしたことを特徴とする請求項１又は２に記載のアスベスト除去装置。
【発明の詳細な説明】
【０００１】
【発明の属する技術分野】
本発明は、老朽化した建築物に見られるアスベスト壁面に適用するアスベスト除去装置に関する。
【０００２】
【従来の技術】
図１０は従来型のアスベスト除去装置の全体図であり、アスベスト除去作業場１１の中で作業員１２が除去工具（例えば、ケレン棒等）１３を用いてはつり除去する状況を示す。アスベストを除去する場合、除去工具１３等がアスベスト壁面に機械的に接触するため、はつりのみでは必ず飛散する。特に、アスベスト積層表面は凹凸となり、除去工具１３を包み込むフード等の移動接触による、こすれ，むしれ、さらにこれらによる落下等があり、飛散して周辺に拡散し作業場１１の内部は高濃度の粉じんで充満される。従って、この密閉空間内部で作業する作業員は防じんマスク付きの作業服を着用して作業を行うため当然作業効率も悪い。
【０００３】
作業場１１内部の排気は除じん装置１４を経て、外部環境１５へ排出される。外部環境１５の粉じん濃度は除じん装置１４の除去効率により大きく左右される。除去効率（η）は次式で表わされる。
0003567555.tif 000002
この場合、除じん装置入口濃度とは作業場１１の内部の粉じん濃度であり、除じん装置出口濃度とは外部環境１５の粉じん濃度である。
【０００４】
外部環境１５の粉じん濃度を小さくするためには、除じん装置１４のフィルター効率を向上することも必要であるが、目詰まり等で逆効果となる場合がある。従って、外部環境１５の粉じん濃度を小さくするためには、作業場１１内部の粉じん濃度を小さくすることが重要である。
【０００５】
そこで、従来の除去方法では、作業場１１の外部全体をビニールシート等で何重にも包んで十分な養生を施したり、作業員１２の出入口や除去工具１３等の搬入口１６を別に区切って設け、外部と出入を行っていた。このため、養生等準備に要する経費が嵩むことになる。
【０００６】
【発明が解決しようとする課題】
ところで、スムーズな連続した除去作業を行うためには、作業工具を連続的に移動させると同時に作業工具部を包み込むフードもスムーズに移動させる必要がある。この場合、移動すべりのためのすき間ができるため、アスベスト壁面とフード端面には隙間が生じ完全密着とはならず、隙間が大きすぎるとフード内に充満したアスベストがフードの外へ洩れ飛散するという問題点があった。
【０００７】
また、特開平３−２３５８７７号公報で、壁面のアスベストをこすりとる回転ブラシと、弾性伸縮カウスが先端で壁面とシール部を形成し、前記回転ブラシを被包するケーシングと、該ケーシングを壁面に沿って誘導するキャスタとを備えた吹付アスベストの乾式除去装置が開示されていると共に、実開平４−２３７７２号公報で、除去したアスベストを捕獲するカバーと、該カバーの先端部に取付けアスベストの飛散を防止し伸縮可能な伸縮カバーと、アスベストを構造物の表面から除去する回転刃と、該回転刃を回転させるエアーモータと、除去したアスベストを吸引する吸引口からなる吹付けアスベスト除去用ノズル装置が開示されている。
【０００８】
ところが、前者の場合は、キャスタでケーシングを転がし、前進移動させると、アスベスト壁面とキャスタとの接触面がこすれ、アスベストが脱落飛散する。また、カウスがアスベスト壁面に追随しながら押し付けられる場合、カウス内部を負圧にしたとしても接触壁面では必ずアスベストの脱落飛散が生じる。さらに、回転ブラシでは除去アスベスト片を細かく掻き散らすので、飛散をさらに助長するという問題点がある。一方、後者の場合は、前者と同様伸縮カバーを移動する際に擦れが生じ、アスベストが落下飛散する。さらに、カバー内部を若干の負圧にしないと、シールが完全でもカバーとの接触境界面ではカバーの外側へアスベストが飛散するという問題点がある。
【０００９】
そこで、本発明の目的は、アスベスト除去工具を移動させても、フード外部へのアスベストの飛散を確実に防止できるアスベスト除去装置を提供することにある。
【００１０】
【課題を解決するための手段】
前記目的を達成するために、本発明に係るアスベスト除去装置は、建築物のアスベスト壁面からアスベストをはつり除去するアスベスト除去装置において、アスベスト除去工具をオーニングするフードの内部周囲に配置されたノズルから泡を噴出し、フードの周囲を泡でシールしたことを特徴とする。
前記構成によれば、微細な泡の膜面によるシール効果でアスベスト除去片のフード外への飛散が阻止される。
【００１１】
また、前記フード内の泡で包み込まれたアスベスト除去片をアスベスト回収ライン上に設けられたブロアにより吸引し、フード側からブロア側への流れを形成することによりフード内を負圧としたことを特徴とする。
前記構成によれば、フード内中央部方向への吸引作用が得られ、アスベスト除去片のフード外への飛散が阻止される。この場合の吸引力（負圧力）はブロアの風量により加減される。
【００１２】
また、前記フードを二重構造としてフードに内側及び外側の壁面を設け、前記負圧により外側壁面のすき間から内側壁面方向への流れを形成するようにしたことを特徴とする。
前記構成によれば、フード移動時にアスベスト付着面とのこすれ落下するアスベスト片が、前記流れにのせて取り込まれる。
【００１３】
【発明の実施の形態】
以下、本発明の一実施例を添付図面に基づいて詳細に説明する。
図１に、本発明に係るアスベスト除去装置の全体図を示す。
作業員２９は作業場１１の内部で除去装置本体２２をアスベスト壁面２３へ沿わせ移動除去する。沿わせる方法は作業員２９が除去装置本体２２を手で持って行うか又は機械アーム等で保持して行うが、作業場１１の広さや高さに応じ適宜選択して行う。いずれの場合も除去装置本体２２にはフード３３を設け、除去しようとするアスベスト壁面２３及び除去した後のアスベスト付着壁面３０とはシールし、作業場１１の内部へのアスベスト飛散濃度を極力少なくする。アスベスト片は、図５にも示すように、除去装置本体２２から吸引ホース２４によりさらに回収容器２５へ導びかれ、一定量まで集じんされる。
【００１４】
図３及び図４は除去装置本体２２の詳細を示す。
先ず、除去工具３１の刃を回転しながらアスベスト壁面２３に沿って平行に押すことにより付着アスベストは削り取られていくが、これと同時に泡噴出ノズル３２から泡を吹き出し、これと混合することによりフード３３の下方へ導びく。泡噴出ノズル３２は、図４に示すように、円管（泡供給ヘダー）３８に等ピッチでかつ中心に向けて開けられた円形孔であり、この円形孔から泡がフード中心に向けて一様に噴出される。
【００１５】
除去工具３１は、フード３３の外部に配置されたモータ３４の回転トルクをチェーン３５で伝達し、除去工具３１の回転トルクとして得られる。また、除去工具３１は、図２にも示すように、上面刃３１ａと側面刃３１ｂを有した複数刃（図中６刃）からなり、その回転軸４２がフード内側から張り出した十字形支持台４３の中心部に軸受４４ａ，４４ｂを介して貫通支持される。従って、初めに上面刃３１ａにより付着アスベストの厚さ分をアスベスト壁面２３方向に削り取り、さらに側面刃３１ｂによりアスベスト壁面２３と平行に移動しながら付着アスベストを削り取ることになる。
【００１６】
そして、図８中の太い矢印で示す方向に除去工具３１を押し当て、回転かつ移動させることによりはつられる除去移動に伴ってアスベスト厚さによる段差が生じ、フード３３とのすき間が生ずる。この場合、除去しようとするアスベスト外表面とはシール材３７ｂの形状で接触し、除去した後のアスベスト付着壁面３０とはシール材３７ａの形状で接触する。
【００１７】
このようなフード３３の端面により生ずる隙間を遮へいするため、シール材として自由な弾性体変化を利用し、壁面に自由形状で接触するようにするシール材３７ａ，３７ｂは帯状のプラスチックに短冊状に細く切り込みを入れ、さらに１枚１枚をフード３３の外周端に支持金具３９を介して重ね合わせて貼付したものである。フード３３との段差による隙間はこのようなシール材３７ａ，３７ｂで塞がる。次に、シール材切り込み部からの飛散についてはシール材３７ａ，３７ｂの短冊状切り込み隙間へ泡噴出ノズル３２から噴射される泡を浸入させ、すき間に張られる微細な膜によるシール効果で防止する。この泡はフード３３の内部でアスベスト除去片と混合することにより除去片全体の飛散も防止する。こうして泡と混合したアスベスト除去片はフード３３の中央へ集められ吸引ホース２４へ送られる。
【００１８】
除去装置本体２２を押し付け移動する場合、シール材３７ａ，３７ｂは除去した後のアスベスト付着壁面３０や除去しようとするアスベスト壁面２３に接触する。このため、フード３３の接触による残渣アスベストの落下や除去しようとするアスベストの擦れによるはく離がシール材３７ａ，３７ｂの外側に生ずる可能性がある。この場合、落下アスベストはフード３３の二重壁面の樋状の外壁４１の内側へ落下させる。さらに、フード３３内に生ぜしめる負圧によりフード３３内中央ダクト部へ導びく。それはフード二重壁の内壁側周囲に孔４２が設けられ図８中細い矢印で示すような空気の流れに乗せられて吸引される。
【００１９】
このように、フード３３内部の負圧による外部飛散防止、泡の微細うす膜によるシール効果と包み込み、シール材３７ａ，３７ｂによる遮へい等を組み合せ、除去装置本体２２を移動してもフード３３の外部へアスベスト片を飛散しないようにする。
【００２０】
尚、上記負圧は、回収容器２５からさらにホース２６により回収ブロア２７まで導びき吸引することによって発生するフード内外の圧力差である。回収ブロア２７からさらに外部環境への排出部へはフィルター２８を経て放出される。
また、吸引ホース２４を経て回収容器２５に集じんされるアスベスト除去片は、泡の消泡に伴ない水分として適当に除去片に湿潤するため、回収容器２５から取り出す時の飛散は防止可能となる。
【００２１】
図６は泡の発生装置、図７は泡発生器を示す。泡を発生させるに必要な空気はコンプレッサー５３から減圧弁５４により一定圧力とした後、泡発生器５５へ送り込む。同時に、この一定圧力により加圧容器５２に充てんした泡の原液である界面活性剤を加圧容器出口５６から泡発生器５５側へ送り出す。そして、泡発生器５５の入口ノズル部５７で空気と界面活性剤が混合し、泡となり泡発生器５５の出口ノズル部５８から放出される。入口ノズル部５７のうち空気通路５９を流れる空気速度は速く、界面活性剤通路６０へ導かれる界面活性剤をエゼクター原理ですい上げ適当な大きさの泡とする。尚ノズルの寸法形状は泡性状に見合うものとする。また、界面活性剤としては、陰イオン界面活性剤，非イオン界面活性剤，陽イオン界面活性剤及び両性イオン界面活性剤のすべてが該当するが、中でも有力なものは、気泡シールド工法等の泡に用いられる陰イオン界面活性剤の中の脂肪酸塩，アルキル硫酸エステル塩及びアルキルベンゼンスルホン酸塩の３種類が特に良好である。
【００２２】
尚、本実施例はフード移動式の除去装置について記述しているが、フードが移動しないつまり停止かつ間欠的な方法についても泡を用いた飛散防止機構、さらにはブロアによる吸引機構が適用される。
例えば、図９に示すものは、フード３３を定置させ、フード３３の中で前後左右に除去工具３１を移動して除去するものである。尚、除去中、フード３３は移動させないので、シールは完全にできるが、除去工具３１を前後左右に移動させるためのボールネジ機構７０ａ，７０ｂ等が必要となる。また、この場合除去工具３１の駆動用モータはフード３３内に内蔵される。
【００２３】
【発明の効果】
以上説明したように本発明によれば、建築物のアスベスト壁面からアスベストをはつり除去するアスベスト除去装置において、アスベスト除去工具をオーニングするフードの内部周囲に配置されたノズルから泡を噴出し、フードの周囲を泡でシールしたので、下記のような効果が得られる。
（１）アスベスト除去工具を除去移動しても、フード外部へ飛散しないようにすることにより、作業空間の粉じん濃度を極端に減少させることができ、外部環境への排出濃度を大幅に減少させられる。依って、除去準備のための高いウエイトを占める養生経費も低減できる。
（２）フード外部への飛散をせずに、アスベスト除去工具が任意方向に除去移動することにより、除去効率が大きく向上する。
【図面の簡単な説明】
【図１】本発明の一実施例を示すアスベスト除去装置の全体概略構成図である。
【図２】同じく除去工具の構造説明図である。
【図３】同じく除去装置本体の詳細説明図である。
【図４】図３の平面図である。
【図５】同じくアスベスト除去装置の全体斜視図である。
【図６】同じく泡発生装置の概略構成図である。
【図７】同じく泡発生器の断面図である。
【図８】同じく除去装置本体部における作用説明図である。
【図９】本発明の別の実施例の斜視図である。
【図１０】従来例の説明図である。
【符号の説明】
１１  作業場
２２  除去装置本体
２３  アスベスト壁面
２４  吸引ホース
２５  回収容器
２７  ブロア
２９  作業員
３０  アスベスト付着壁面
３１  除去工具
３２  泡噴出ノズル
３３  フード
３７ａ，３７ｂ  シール材
【図１】
0003567555.tif 000003
【図２】
0003567555.tif 000004
【図３】
0003567555.tif 000005
【図４】
0003567555.tif 000006
【図５】
0003567555.tif 000007
【図６】
0003567555.tif 000008
【図７】
0003567555.tif 000009
【図８】
0003567555.tif 000010
【図９】
0003567555.tif 000011
【図１０】
0003567555.tif 000012